(57)【要約】【課題】被施療者のマッサージ機に接していない部位周辺の温度環境の快適化を図ることができるマッサージ機を提供する。【解決手段】マッサージ機は、空気を吹き出す吹出口と、前記吹出口に空気を送給する送風装置と、被施療者に接触可能に構成される接触面と、を備える。前記吹出口は右方向又は左方向のいずれか一方を向く。前記吹出口と前記接触面とは前記接触面の略法線方向において離れている。前記被施療者と前記接触面とが接触している状態で、前記接触面は前記吹出口と前記被施療者との間に位置しない。前記被施療者と前記接触面とが接触している状態で、左右方向から視て前記吹出口は前記被施療者と重ならない。【選択図】図１
2020156787.tif 000002
【特許請求の範囲】
【請求項１】
空気を吹き出す吹出口と、
前記吹出口に空気を送給する送風装置と、
被施療者に接触可能に構成される接触面と、
を備え、
前記吹出口は右方向又は左方向のいずれか一方を向き、
前記吹出口と前記接触面とは前記接触面の略法線方向において離れており、
前記被施療者と前記接触面とが接触している状態で、前記接触面は前記吹出口と前記被施療者との間に位置せず、
前記被施療者と前記接触面とが接触している状態で、左右方向から視て前記吹出口は前記被施療者と重ならない、
マッサージ機。
【請求項２】
前記吹出口から吹き出す空気の温度を可変する温度可変装置を備える、請求項１に記載のマッサージ機。
【請求項３】
空気を吸い込む吸込口を備え、
前記吹出口と前記吸込口とは互いに対向する、請求項１又は請求項２に記載のマッサージ機。
【請求項４】
前記吸込口が吸い込んだ空気を前記吹出口に戻す循環通路を備え、
前記送風機は、前記循環通路内に配置され、
前記被施療者と前記接触面とが接触している状態で、前記接触面の略法線方向において前記接触面は前記被施療者と前記循環通路の一部との間に位置する、請求項３に記載のマッサージ機。
【請求項５】
前記送風機は、前記マッサージ機の左右方向中央に配置される、請求項４に記載のマッサージ機。
【請求項６】
前記吹出口から吹き出す空気の向きを変更可能に構成される風向変更部材を備え、
前記吹出口から吹き出した空気を前記接触面にあてることができる、請求項１〜５のいずれかに記載のマッサージ機。
【請求項７】
前記送風機は、前記マッサージ機がマッサージ動作を行っているとき以外でも動作可能に構成される、請求項６に記載のマッサージ機。
【発明の詳細な説明】
【技術分野】
【０００１】
本発明は、マッサージ機に関する。
【背景技術】
【０００２】
近年、被施療者のマッサージ機に接している部位周辺の温度環境の快適化を図ることができるマッサージ機が種々開発されている。
【０００３】
例えば特許文献１で開示されているマッサージ機は、被施療者の足裏に温熱を付与するヒーターを備えている。
【０００４】
例えば特許文献２で開示されているマッサージ機は、被施療者の背中に温熱を付与するヒーターを備えている。
【０００５】
例えば特許文献３で開示されているマッサージ機は、被施療者の被施療部位に温熱を付与するヒーターを揉み玉に内蔵している。
【０００６】
例えば特許文献４で開示されているマッサージ機は、被施療者の被施療部位に送風を行うための送風装置を備えている。
【先行技術文献】
【特許文献】
【０００７】
【特許文献１】特開２０１６−１３１８１２号公報（段落０１１６）
【特許文献２】特開２０１６−２２０７１１号公報（要約）
【特許文献３】特開２００５−１０２９１９号公報（段落００１６乃至００１９）
【特許文献４】特開２０１３−６６５０８号公報（要約）
【発明の概要】
【発明が解決しようとする課題】
【０００８】
緊急時に被施療者がマッサージ機から脱出できるように、マッサージ機は、被施療者の前面を完全には覆わない構造になっている。すなわち、被施療者には、マッサージ機に接している部位以外に、マッサージ機に接していない部位も存在する。
【０００９】
特許文献１〜４に開示されているマッサージ機によると、被施療者のマッサージ機に接している部位周辺の温度環境の快適化は図ることができるものの、被施療者のマッサージ機に接していない部位周辺の温度環境の快適化は図ることができなかった。このため、被施療者は、例えばマッサージ機の使用時に太腿の表側に寒さを感じる場合、膝掛けを利用する等の対策を講じなければ、寒気を解消することができなかった。
【００１０】
本発明は、上記の状況に鑑み、被施療者のマッサージ機に接していない部位周辺の温度環境の快適化を図ることができるマッサージ機を提供することを目的とする。
【課題を解決するための手段】
【００１１】
本明細書中に開示されているマッサージ機は、空気を吹き出す吹出口と、前記吹出口に空気を送給する送風装置と、被施療者に接触可能に構成される接触面と、を備え、前記吹出口は右方向又は左方向のいずれか一方を向き、前記吹出口と前記接触面とは前記接触面の略法線方向において離れており、前記被施療者と前記接触面とが接触している状態で、前記接触面は前記吹出口と前記被施療者との間に位置せず、前記被施療者と前記接触面とが接触している状態で、左右方向から視て前記吹出口は前記被施療者と重ならない構成（第１の構成）である。
【００１２】
上記第１の構成のマッサージ機において、前記吹出口から吹き出す空気の温度を可変する温度可変装置を備える構成（第２の構成）にしてもよい。
【００１３】
上記第１又は第２の構成のマッサージ機において、空気を吸い込む吸込口を備え、前記吹出口と前記吸込口とは互いに対向する構成（第３の構成）にしてもよい。
【００１４】
上記第３の構成のマッサージ機において、前記吸込口が吸い込んだ空気を前記吹出口に戻す循環通路を備え、前記送風機は、前記循環通路内に配置され、前記被施療者と前記接触面とが接触している状態で、前記接触面の略法線方向において前記接触面は前記被施療者と前記循環通路の一部との間に位置する構成（第４の構成）にしてもよい。
【００１５】
上記第４の構成のマッサージ機において、前記送風機は、前記マッサージ機の左右方向中央に配置される構成（第５の構成）にしてもよい。
【００１６】
上記第１〜第５いずれかの構成のマッサージ機において、前記吹出口から吹き出す空気の向きを変更可能に構成される風向変更部材を備え、前記吹出口から吹き出した空気を前記接触面にあてることができる構成（第６の構成）にしてもよい。
【００１７】
上記第６の構成のマッサージ機において、前記送風機は、前記マッサージ機がマッサージ動作を行っているとき以外でも動作可能に構成される構成（第７の構成）にしてもよい。
【発明の効果】
【００１８】
本明細書中に開示されているマッサージ機によれば、被施療者のマッサージ機に接していない部位周辺の温度環境の快適化を図ることができる。
【図面の簡単な説明】
【００１９】
【図１】一実施例に係るマッサージ機の概略斜視図
【図２】基台と、背凭れ部のフレーム部分と、送風装置及びヒーターとの位置関係を示す図
【図３】前後方向に垂直な面で切断した座部及び第１循環通路を後側から視た断面図
【図４】前後方向に垂直な面で切断した座部及び第１循環通路を後側から視た断面図
【図５】変形例に係るマッサージ機の概略斜視図
【図６】前後方向に垂直な面で切断した座部及び第１循環通路を後側から視た断面図
【図７】前後方向に垂直な面で切断した座部及び第１循環通路を後側から視た断面図
【発明を実施するための形態】
【００２０】
以下、本発明の例示的な実施形態について、図面を参照しながら詳細に説明する。
【００２１】
図１は一実施例に係るマッサージ機１（以下、「マッサージ機１」と称す）の概略斜視図である。なお、図１及び後述する図２中の平板矢印は空気の流れを示している。
【００２２】
以下の説明において、背凭れ部３が倒れていない状態のマッサージ機１に着座した被施療者から見て前側（正面側）を「前側」といい、背凭れ部３が倒れていない状態のマッサージ機１に着座した被施療者から見て後側（背面側）を「後側」という。また、背凭れ部３が倒れていない状態のマッサージ機１に着座した被施療者から見て上側（頭側）を「上側」といい、背凭れ部３が倒れていない状態のマッサージ機１に着座した被施療者から見て下側（脚側）を「下側」という。また、背凭れ部３が倒れていない状態のマッサージ機１に着座した被施療者から見て右側を「右側」といい、背凭れ部３が倒れていない状態のマッサージ機１に着座した被施療者から見て左側を「左側」という。
【００２３】
マッサージ機１は、座部２と、背凭れ部３と、基台４と、左右一対の肘掛け部５Ｌ及び５Ｒと、オットマン６と、を備える。
【００２４】
座部２は、被施療者の臀部及び太腿部を支持する。座部２は、第１接触面Ｆ１を備える。すなわち、マッサージ機１は、第１接触面Ｆ１を備える。第１接触面Ｆ１は、被施療者の臀部及び太腿部に接触可能に構成される。
【００２５】
背凭れ部３は、被施療者の肩、腰、及び背中を支持する。背凭れ部３は、第２接触面Ｆ２を備える。すなわち、マッサージ機１は、第２接触面Ｆ２を備える。第２接触面Ｆ２は、被施療者の肩、腰、及び背中に接触可能に構成される。
【００２６】
背凭れ部３は、左右方向に沿って延びるリクライニング回転軸回りに回転可能に、座部２の後端に取り付けられている。背凭れ部３には、施療子を有するマッサージユニット（不図示）が設けられる。マッサージユニットは、背凭れ部３に設けられるガイドレール（不図示）によって案内されて背凭れ部３の長手方向に昇降する。なお、ガイドレールを座部２の後部にまで延長し、マッサージユニットが座部２及び背凭れ部３の長手方向に昇降するようにしてもよい。マッサージユニットは、施療子と、施療子に揉み動作を行わせる揉み駆動機構と、施療子にたたき動作を行わせるたたき駆動機構と、を備える。
【００２７】
基台４は、座部２並びに肘掛け部５Ｌ及び５Ｒを支持する。
【００２８】
肘掛け部５Ｌは座部２の左端上方に配置され、肘掛け部５Ｒは座部２の右端上方に配置される。肘掛け部５Ｌ及び５Ｒはそれぞれ下方に向かって凹む凹部を有している。肘掛け部５Ｌの凹部は、被施療者の左前腕部及び左手を収納して支持する。肘掛け部５Ｒの凹部は、被施療者の右前腕部及び右手を収納して支持する。
【００２９】
オットマン６は、被施療者の下腿部及び足を収容する。オットマン６は、第３接触面Ｆ３を備える。すなわち、マッサージ機１は、第３接触面Ｆ３を備える。第３接触面Ｆ３は、被施療者のふくらはぎに接触可能に構成される。
【００３０】
オットマン６は、左右方向に沿って延びる回転軸回りに回転可能に基台４に取り付けられる。
【００３１】
マッサージ機１は、第１循環通路１１と、第２循環通路２１と、第３循環通路３１と、をさらに備える。第１循環通路１１は、座部２の右側、下側、及び左側を囲むように配置される。第２循環通路２１は、背凭れ部３の右側、後側、及び左側を囲むように配置される。第３循環通路３１は、オットマン６の右側、後側、及び左側を囲むように配置される。
【００３２】
第１循環通路１１の内部には、図２に示す第１送風装置１２及び第１ヒーター１３が設けられる。第２循環通路２１の内部には、図２に示す第２送風装置２２及び第２ヒーター２３が設けられる。第３循環通路３１の内部には、図２に示す第３送風装置３２及び第３ヒーター３３が設けられる。なお、図２は、基台４と、背凭れ部３のフレーム部分３１と、第１送風装置１２及び第１ヒーター１３と、第２送風装置２２及び第２ヒーター２３と、第３送風装置３２及び第３ヒーター３３との位置関係を示す図である。
【００３３】
本実施例では、第１送風装置１２、第２送風装置２２、及び第３送風装置３２それぞれにクロスフローファンを用いる。各クロスフローファンの軸方向は左右方向に対して略直交する。
【００３４】
第１送風装置１２はマッサージ機１の左右方向中央に配置される。第１ヒーター１３は第１送風装置１２と、第１循環通路１１の一端に設けられる第１吹出口（図１において不図示）との間に配置される。第１吹出口（図１において不図示）に関連する各部の配置について図３を参照してさらに説明する。
【００３５】
図３は、前後方向に垂直な面で切断した座部２及び第１循環通路１１を後側から視た断面図である。なお、図３中の破線矢印は空気の流れを示している。図３はマッサージ機１が臀側部用エアバッグＢ１及びＢ２を備える場合の断面図であるが、マッサージ機１が臀側部用エアバッグＢ１及びＢ２を備えない場合の断面図は図４のようになる。
【００３６】
上述した通り、第１送風装置１２はマッサージ機１の左右方向中央に配置される。言い換えると、第１送風装置１２の左端と第１循環通路１１の左端との距離Ｄ１は、第１送風装置１２の右端と第１循環通路１１の右端との距離Ｄ２と略等しい。第２送風装置２２及び第３送風装置３２も第１送風装置１２と同様にマッサージ機１の左右方向中央に配置される（図２参照）。第１送風装置１２、第２送風装置２２、及び第３送風装置３２をマッサージ機１の左右方向中央に配置することで、マッサージ機１の左右方向における重量バランスが良好になる。
【００３７】
第１吹出口１４は第１循環通路１１の一端に設けられ、第１吸込口１５は第１循環通路１１の他端に設けられる。第１吹出口１４は空気を吹き出し、第１吸込口１５は空気を吸い込む。第１吹出口１４には、空気の流れを整える整流板を設けることが望ましい。
【００３８】
第１吹出口１４は右方向を向いており、第１吸込口１５は左方向を向いている。第１吹出口１４と第１吸込口１５とは互いに対向する。第１吹出口１４と第１吸込口１５とが互いに対向するので、第１吸込口１は第１吹出口１４から吹き出された空気を効率良く吸い込むことができる。
【００３９】
第１循環通路１１は、第１吸込口１５が吸い込んだ空気を第１吹出口１４に戻す。第１送風装置１２は、第１循環通路１１での空気の流れを生成する。第１循環通路１１を設けることにより、第１送風装置１２とは別に空気を吸い込む吸込装置を第１吸込口１５側に設ける必要がなくなる。したがって、低コスト化を図ることができる。
【００４０】
第１接触面Ｆ１と被施療者の臀部及び太腿部とが接触している状態で、第１接触面Ｆ１の略法線方向において第１接触面Ｆ１は被施療者と第１循環通路１１の中間部分との間に位置する。このような配置によると、被施療者がマッサージ機１に着座する際に、第１循環通路１１の中間部分が邪魔にならない。なお、第１接触面Ｆ１は平面ではないため、第１接触面Ｆ１を近似する仮想的な平面の法線方向を、第１接触面Ｆ１の略法線方向とみなせばよい。
【００４１】
第１ヒーター１３は第１送風装置１２の送風口と第１吹出口１４との間に設けられる。これにより、第１吹出口１４から吹き出される空気を低損失で加熱することができる。また、加熱された空気は第１吸込口１５によって吸い込まれた後、第１吹出口１４に戻されるので、第１吹出口１４から吹き出される空気を所望の温度にするために第１ヒーター１３が必要とする電力を少なくできる。
【００４２】
第１吹出口１４及び第１吸込口１５と第１接触面Ｆ１とは第１接触面Ｆ１の略法線方向において離れている。
【００４３】
第１接触面Ｆ１と被施療者の臀部及び太腿部とが接触している状態で、第１接触面Ｆ１は第１吹出口１４及び第１吸込口１５と被施療者の太腿部との間に位置しない。具体的には、第１吹出口１４及び被施療者の太腿部はともに第１接触面Ｆ１よりも上側に位置する。これにより、第１吹出口１４から吹き出される空気（エアカーテン）によって、被施療者の太腿部の表側を保温することができる。さらに、第１吹出口１４から吹き出される空気（エアカーテン）を第１ヒーター１３によって加熱することによって、被施療者の太腿部の表側を暖めることができる。つまりマッサージ機１が低温環境下で使用されている場合に、被施療者の太腿部の表側周辺の温度環境の快適化を図ることができる。また、被施療者の冷えを抑制することができるので、血流の促進及び施療効果の向上が期待できる。
【００４４】
本実施例では、第１接触面Ｆ１と被施療者の臀部及び太腿部とが接触している状態で、左右方向から視て第１吹出口１４及び第１吸込口１５が被施療者と重ならないように、第１吹出口１４及び第１吸込口１５を配置している。例えば標準体型の成人男性を被施療者とした場合に、第１接触面Ｆ１と被施療者の臀部及び太腿部とが接触している状態で、左右方向から視て第１吹出口１４及び第１吸込口１５が被施療者と重ならないようにすればよい。これにより、第１吹出口１４から吹き出される空気（エアカーテン）が被施療者にあたらないので、被施療者に違和感、不快感等を与えない。また、第１吹出口１４から吹き出される空気（エアカーテン）が被施療者にあたらないので、エアカーテンとしての機能が最大限発揮される。
【００４５】
第２循環通路２１の一端に設けられる第２吹出口（不図示）に関連する各部の配置及び第３循環通路３１の一端に設けられる第３吹出口（不図示）に関連する各部の配置は、第１循環通路１１の一端に設けられる第１吹出口１４（図３及び図４参照）に関連する各部の配置と同様である。
【００４６】
第２吹出口（不図示）から吹き出される空気（エアカーテン）によって、被施療者の顔、胸、及び腹を保温することができる。さらに、第２吹出口（不図示）から吹き出される空気（エアカーテン）を第２ヒーター２３によって加熱することによって、被施療者の顔、胸、及び腹を暖めることができる。つまりマッサージ機１が低温環境下で使用されている場合に、被施療者の顔、胸、及び腹周辺の温度環境の快適化を図ることができる。また、被施療者の冷えを抑制することができるので、血流の促進及び施療効果の向上が期待できる。
【００４７】
第３吹出口（不図示）から吹き出される空気（エアカーテン）によって、被施療者の脛及び足の爪先を保温することができる。さらに、第３吹出口（不図示）から吹き出される空気（エアカーテン）を第３ヒーター３３によって加熱することによって、被施療者の脛及び足の爪先を暖めることができる。つまりマッサージ機１が低温環境下で使用されている場合に、被施療者の脛及び足の爪先周辺の温度環境の快適化を図ることができる。また、被施療者の冷えを抑制することができるので、血流の促進及び施療効果の向上が期待できる。
【００４８】
上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【００４９】
例えば、本実施例とは異なり、第２接触面Ｆ２と被施療者の肩、腰、及び背中とが接触している状態で、第２吹出口（不図示）及び第２循環通路２１の他端に設けられる第２吸込口２５が被施療者の首より上に位置しないように、第２吹出口（不図示）及び第２吸込口２５を配置してもよい。これにより、顔がほてることを抑制することができる。
【００５０】
本実施例では、第１吹出口１４から吹き出される空気（エアカーテン）、第２吹出口（不図示）から吹き出される空気（エアカーテン）、及び第３吹出口（不図示）から吹き出される空気（エアカーテン）が存在するが、吹出口の個数は３個に限定されることはなく、２個以下又は４個以上であってもよい。
【００５１】
例えば、マッサージ機１に活性炭フィルタ等の消臭剤を設けてもよい。消臭剤は、例えば、第１吸込口１５、第２吸込口２５、及び第３吸込口３５の周辺に配置するとよい。
【００５２】
例えば、マッサージ機１に芳香剤を設けてもよい。芳香剤は、例えば、第１吹出口１４、第２吹出口（不図示）、及び第３吹出口（不図示）の周辺に配置するとよい。エアカーテンによって香りを運ぶことによって、局所的な芳香空間の形成が可能になる。これにより、芳香剤から発せられる香りが他の臭いと混ざり合って異臭になる危険性を低減することができる。
【００５３】
例えば、ヒーターの代わりに、ヒーター以外の加熱装置を設けてもよい。
【００５４】
例えば、本実施例とは異なり、加熱装置を設けない構成にしてもよい。加熱装置を設けない構成であっても、上述した通り、被施療者のマッサージ機に接していない部位周辺をエアカーテンによって保温することができる。
【００５５】
例えば、本実施例とは異なり、加熱装置の代わりに、又は、加熱装置に加えて、冷却装置を設けてもよい。冷却装置を動作させて吹出口から吹き出される空気（エアカーテン）を冷却装置によって冷却することによって、被施療者のマッサージ機に接していない部位周辺を冷やすことができる。つまりマッサージ機が高温環境下で使用されている場合、入浴直後等で被施療者の体温が上昇している場合等に、被施療者のマッサージ機に接していない部位周辺の温度環境の快適化を図ることができる。
【００５６】
加熱装置と冷却装置の両方を設ける場合、加熱装置と冷却装置を同時に動作させることがないので、加熱装置と冷却装置を兼用する装置を用いることが望ましい。加熱装置と冷却装置を兼用する装置としては、例えばペルチェ素子を挙げることができる。
【００５７】
例えば、本実施例とは異なり、図５に示すマッサージ機１’のように吹出口に対向する吸込口を設けない構成にしてもよい。図５に示すマッサージ機１’は、図１に示すマッサージ機１において、第１吸込口１５、第２吸込口２５、及び第３吸込口３５を塞ぎ、第１吸込口１５を塞いだ箇所から第１送風装置１２に至るまでの通路に第１開口部（不図示）を設け、第２吸込口２５を塞いだ箇所から第２送風装置２２に至るまでの通路に第２開口部（不図示）を設け、第３吸込口３５を塞いだ箇所から第３送風装置３２に至るまでの通路に開口部（不図示）を設けた構成である。従って、図５に示すマッサージ機１’では、通路１１、２１、及び３１は循環通路ではない。
【００５８】
例えば、図６及び図７に示すように、第１吹出口１４から吹き出す空気の向きを変更することができる風向変更部材１６を設けてもよい。風向変更部材１６は、図７に示すように、第１吹出口１４から吹き出した空気を第１接触面Ｆ１にあてることができる。例えば、第１接触面Ｆ１が例えばポリウレタン樹脂を生地に被覆した合成皮革である場合、加水分解によって第１接触面Ｆ１の劣化が進行する。したがって、第１接触面Ｆ１に風をあてて乾燥させることで、第１接触面Ｆ１の劣化を抑制することができる。
【００５９】
被施療者がマッサージ機１に着座していないときでなければ、第１吹出口１４から吹き出した空気を第１接触面Ｆ１にあてることができないため、第１送風機１２は、マッサージ機１がマッサージ動作を行っているとき以外でも動作できるようにする。例えば、マッサージ動作が終了した時点から第１所定時間が経過するまでの間は、第１送風機１２の動作を停止させ、マッサージ動作が終了した時点から第１所定時間が経過して時点で風向変更部材１６が図６に示す状態から図７に示す状態に変化し、風向変更部材１６が図６に示す状態から図７に示す状態に変化した時点から第２所定時間が経過するまでの間は、第１送風機１２を動作させて第１接触面Ｆ１に風をあてるとよい。
【符号の説明】
【００６０】
１  一実施例に係るマッサージ機
１１、２１、３１  第１〜第３循環通路
１２、２２、３２  第１〜第３送風装置
１３、２３、３３  第１〜第３ヒーター
１４  第１吹出口
１５、２５、３５  第１〜第３吸込口
Ｆ１〜Ｆ３  第１〜第３接触面
【図１】
2020156787.tif 000003
【図２】
2020156787.tif 000004
【図３】
2020156787.tif 000005
【図４】
2020156787.tif 000006
【図５】
2020156787.tif 000007
【図６】
2020156787.tif 000008
【図７】
2020156787.tif 000009
【手続補正書】
【提出日】令和2年1月22日(2020.1.22)
【手続補正１】
【補正対象書類名】特許請求の範囲
【補正対象項目名】請求項４
【補正方法】変更
【補正の内容】
【請求項４】
前記吸込口が吸い込んだ空気を前記吹出口に戻す循環通路を備え、
前記送風装置は、前記循環通路内に配置され、
前記被施療者と前記接触面とが接触している状態で、前記接触面の略法線方向において前記接触面は前記被施療者と前記循環通路の一部との間に位置する、請求項３に記載のマッサージ機。
【手続補正２】
【補正対象書類名】特許請求の範囲
【補正対象項目名】請求項５
【補正方法】変更
【補正の内容】
【請求項５】
前記送風装置は、前記マッサージ機の左右方向中央に配置される、請求項４に記載のマッサージ機。
【手続補正３】
【補正対象書類名】特許請求の範囲
【補正対象項目名】請求項７
【補正方法】変更
【補正の内容】
【請求項７】
前記送風装置は、前記マッサージ機がマッサージ動作を行っているとき以外でも動作可能に構成される、請求項６に記載のマッサージ機。
【手続補正４】
【補正対象書類名】明細書
【補正対象項目名】００１４
【補正方法】変更
【補正の内容】
【００１４】
上記第３の構成のマッサージ機において、前記吸込口が吸い込んだ空気を前記吹出口に戻す循環通路を備え、前記送風装置は、前記循環通路内に配置され、前記被施療者と前記接触面とが接触している状態で、前記接触面の略法線方向において前記接触面は前記被施療者と前記循環通路の一部との間に位置する構成（第４の構成）にしてもよい。
【手続補正５】
【補正対象書類名】明細書
【補正対象項目名】００１５
【補正方法】変更
【補正の内容】
【００１５】
上記第４の構成のマッサージ機において、前記送風装置は、前記マッサージ機の左右方向中央に配置される構成（第５の構成）にしてもよい。
【手続補正６】
【補正対象書類名】明細書
【補正対象項目名】００１７
【補正方法】変更
【補正の内容】
【００１７】
上記第６の構成のマッサージ機において、前記送風装置は、前記マッサージ機がマッサージ動作を行っているとき以外でも動作可能に構成される構成（第７の構成）にしてもよい。
【手続補正７】
【補正対象書類名】明細書
【補正対象項目名】００５９
【補正方法】変更
【補正の内容】
【００５９】
被施療者がマッサージ機１に着座していないときでなければ、第１吹出口１４から吹き出した空気を第１接触面Ｆ１にあてることができないため、第１送風装置１２は、マッサージ機１がマッサージ動作を行っているとき以外でも動作できるようにする。例えば、マッサージ動作が終了した時点から第１所定時間が経過するまでの間は、第１送風装置１２の動作を停止させ、マッサージ動作が終了した時点から第１所定時間が経過して時点で風向変更部材１６が図６に示す状態から図７に示す状態に変化し、風向変更部材１６が図６に示す状態から図７に示す状態に変化した時点から第２所定時間が経過するまでの間は、第１送風装置１２を動作させて第１接触面Ｆ１に風をあてるとよい。